(57)【要約】      （修正有）【課題】魚の食いつきを良くするフックを提供する。【解決手段】複数のシングルフック１により構成され、各シングルフック１が他の一部又は全てのシングルフック１と、魚の引きに耐える強度のある、糸又は糸状の細いワイヤー３で繋がっており、その中の１つのシングルフック１が竿に直接繋がるラインを繋げるシングルフック１であり、そのシングルフック１を挟んで他の全てのシングルフック１は竿に繋がる釣具又は、上記釣具の竿に直接繋がるラインを繋げるシングルフック１をジグヘッドフックとした釣具とすることで、ワームの後方や、従来ワームにシングルフック１やジグヘッドフックを装着していた場所以外に食いつく魚のフッキングを良くする。又、餌に数箇所のシングルフック１やジグヘッドフックを刺して使用する場合に、１つの餌から竿に繋がる１本のラインが出るようにして、餌が自然にアクションして魚にアピールできるようにする。【選択図】図１
2017123834.tif 000002
【特許請求の範囲】
【請求項１】
複数のシングルフックにより構成され、各シングルフックが他の一部又は全てのシングルフックと、魚の引きに耐える強度のある、糸又は、糸状の細いワイヤーで繋がっており、その中の１つのシングルフックが竿に直接繋がるラインに繋がるシングルフックであり、そのシングルフックを挟んで他の全てのシングルフックは竿に繋がる釣具。
上記の竿に直接繋がるラインとは、図８に示す様に、フックやジグヘッドフックを挟まず、竿から伸びているラインであり、枝別れした部位も含む。
以降、竿に直接繋がるラインを上記の意味で使用する。
上記のシングルフックやジグヘッドフック等のフックを挟んで竿に繋がるとは、本発明品の場合は、竿に直接繋がるラインには取り付けず、竿に直接繋がるラインに取り付けられるシングルフックから伸びているラインに取り付けられていることで又は、上記の様にして１つ以上のフックを挟んで竿に繋がっているフックから同様に伸びているラインに取り付けられていることで、竿に繋がることである。
以降、フックを挟んでラインに繋がることの意味を上記の意味で使用する。
図８に、フックを挟んで竿に繋がっているフックの例を示す。
上記のシングルフックとは、ジグヘッドフック以外の一般に釣りに使われるシングルフックとして販売、取り扱いがなされているシングルフックであり、例えば、図１に示すシングルフックや、図５に示す、オフセットフックや、より戻し付きのシングルフックや、ガード付きのシングルフックや、コイル付きシングルフックを含む。
以降、シングルフックを上記の意味で使用する。
【請求項２】
１つのジグヘッドフックと、1つ又は複数のシングルフックにより構成され、ジグヘッドフックが一部又は全てのシングルフックと、及び各シングルフックが他のシングルフックとジグヘッドフックの一部又は全てと、魚の引きに耐える強度のある、糸又は、糸状の細いワイヤーで繋がっており、ジグヘッドフックが竿に直接繋がるラインを繋げる構成物であり、ジグヘッドフックを挟んで他の全てのシングルフックは竿に繋がる釣具。
上記ジグヘッドフックとは、一般に釣りに使われるジグヘッドフックとして販売、取り扱いがなされているジグヘッドフック、例えば、図６に示すジグヘッドフックや、ガード付きのジグヘッドフックや、スカート付きのラバージグを含む。
以降、ジグヘッドフックを上記の意味で使用する。
【発明の詳細な説明】
【技術分野】
【０００１】
釣りに使用するフック及びジグヘッドフック
【背景技術】
【０００２】
従来は、ワームに使用するジグヘッドフック及びシングルフックは、自然な形やアクションを考慮して、ワームの先端又は中央部の一箇所に取り付けて使用していた。
しかし、スレた魚や魚種によっては、ワームの後方に食いつく可能性が高い場合がある。
又、大き目の餌の数箇所にシングルフックを刺して使用する場合でも、シングルフックとシングルフックがラインで繋がれ、竿に繋がるラインは１つのシングルフックのみに繋げるシングルフックは使用していなかった。
しかし、シングルフックとシングルフック又はジグヘッドフックとシングルフックがラインで繋がれ、１つの餌から竿に繋がる１本のラインが出ている方が、餌が自然にアクションして魚にアピールできる場合もある。
又、複数のフックがラインで繋がっている形状の釣具に、サビキが従来よりあるが、これは、各フックに別々に餌をつけたり、各フックを素針やフックを装飾した疑似餌として使用する目的のものであり、１つの餌やワームに全てのフックを取り付けた場合、本案のように１つの餌から竿に繋がる１本のラインが出るようにはならないので、餌やワームに１つのシングルフック又はジグヘッドフックを取り付けたアクションに近い滑らかなアクションを餌やワームに演出できない。
【先行技術文献】
【特許文献】
【０００３】
特願２００１−２７１２８０、特開２００３−３１０１０１、
特開２００１−２５８４２６
【発明の概要】
【発明が解決しようとする課題】
【０００４】
ワームの後方や、従来ワームにシングルフックやジグヘッドフックを装着していた場所以外に食いつく魚のフッキングを良くする。
又、餌の数箇所にシングルフックやジグヘッドフックを刺して使用する場合に、１つの餌から竿に繋がる１本のラインが出るようにして、餌が自然にアクションして魚にアピールできるようにする。
【課題を解決するための手段】
【０００５】
図１の様に、複数のシングルフックにより構成され、各シングルフックが他の一部又は全てのシングルフックと、魚の引きに耐える強度のある、糸又は、糸状の細いワイヤーで繋がっており、その中の１つのシングルフックが竿に直接繋がるラインを繋げるシングルフックであり、そのシングルフックを挟んで他の全てのシングルフックは竿に繋がる釣具を使用する。
例えば、ワームの場合、竿に直接繋がるラインを繋げるシングルフックから、次に、竿に直接繋がるラインに繋げるシングルフックのライン取り付け部に対するベントの方向に、竿に直接繋がるラインに繋げるシングルフックに対して他の全てのシングルフックを引っ張り、シングルフックとシングルフックを繋ぐ糸又は、糸状の細いワイヤーを張り、直線状に全てのシングルフックが並んだ状態での前から順にワームの前から取り付け、一般にワームに取り付ける方法、例えば、ワームの中をくぐらせてフックポイントをワーム後側に出したり、ワームの中をくぐらせてシングルフックの一部を出してからフックポイントをワームに刺してフックポイントをワームに隠したりして取り付ける。
又、図9に示す様に、ワーム中央部に竿に直接繋がるラインを取り付けるフックを装着し、両サイドにその他のフックを装着したり、二股に分かれた形状のワームのそれぞれにフックを取り付ける等の方法もある。
餌の場合は、一般に餌にシングルフックを刺す方法、例えば所定の場所にシングルフックを刺し、フックポイントを出す等で行う。
シングルフックとシングルフックを繋げる糸又は糸状の細いワイヤーは、魚に不自然に感じさせないために透明であるほうが良い。
シングルフックとシングルフックを繋げる糸又は糸状の細いワイヤーの長さは、各シングルフックを取り付けた状態で、ワーム又は餌が本来の形を損なわない長さであり、糸又は糸状の細いワイヤーを張った際、ワームが損傷しない長さである必要がある。
それより短ければワームが不自然な姿勢やアクションとなり、長すぎれば魚が竿に直接繋がるラインを繋げるシングルフック以外のシングルフックにかかった場合、ワームが損傷する可能性が高くなる。
例えば、図３の様に、後部に付けるシングルフックをワームの途中からシングルフックをワームの中にくぐらして、ワーム後側にシングルフックポイントを出して取り付け、ワーム先端に付けるシングルフックをワーム先端からワームの中をくぐらせてシングルフックの根元がワームの先端に位置するように、フックポイントをワームから出して取り付けた場合、シングルフックとシングルフックを繋げる糸又は糸状の細いワイヤーの長さは、シングルフックを付けるワーム長−ワーム後部に取り付けるシングルフック長より若干短い長さが適当だ。
もう１つは、１つのジグヘッドフックと、1つ又は複数のシングルフックにより構成され、ジグヘッドフックが一部又は全てのシングルフックと、及び各シングルフックが他のシングルフックとジグヘッドフックの一部又は全てと、魚の引きに耐える強度のある、糸又は、糸状の細いワイヤーで繋がっており、ジグヘッドフックが竿に直接繋がるラインを繋げる構成物であり、ジグヘッドフックを挟んで他の全てのシングルフックは竿に繋がる釣具を使用する。
又、ワームの場合、ジグヘッドフックから、次に、ジグヘッドフックのシンカー部に対するベントの方向に、ジグヘッドフックに対して、全てのシングルフックを引っ張り、ジグヘッドフックとシングルフック又はシングルフックとシングルフックを繋ぐ糸又は、糸状の細いワイヤーを張り、直線状に全てのジグヘッドフックとシングルフックが並んだ状態での前から順にワームの前から取り付け、一般にワームに取り付ける方法、例えば、ワームの中をくぐらせてジグヘッドフック又はシングルフックのフックポイントをワーム後側に出したり、ワームの中をくぐらせてシングルフックの一部を出してからフックポイントをワームに刺してフックポイントをワームに隠したりして取り付ける。
又、図９に示す様に、ワーム中央部にジグヘッドフックを装着し、両サイドにその他のフックを取り付けたり、二股に分かれた形状のワームのそれぞれにフックを取り付ける等の方法もある。
餌の場合は、一般に餌にフックを刺す方法、例えば所定の場所にフックを刺し、フックポイントを出す等で行う。
ジグヘッドフックとシングルフック又は、シングルフックとシングルフックを繋げる糸又は糸状の細いワイヤーは、魚に不自然に感じさせないために透明であるほうが良い。
ジグヘッドフックとシングルフック及びシングルフックとシングルフックを繋げる糸又は糸状の細いワイヤーの長さは、ジグヘッドフック及び各シングルフックを取り付けた状態で、ワーム又は餌が本来の形を損なわない長さであり、糸又は糸状の細いワイヤーを張った際、ワームが損傷しない長さである必要がある。
それより短ければワームが不自然な姿勢やアクションとなり、長すぎれば魚がジグヘッドフック以外のシングルフックにかかった場合、ワームが損傷する可能性が高くなる。
例えば、図４の様に、ジグヘッドフックと繋ぐシングルフックが１つで、後部に付けるシングルフックをワームの途中からシングルフックをワームの中にくぐらして、ワーム後側にフックポイントを出して取り付け、ジグヘッドフックをワーム先端からワームの中をくぐらせてジグヘッドフックのフックの根元がワームの先端に位置するように、フックポイントをワームから出して取り付けた場合、ジグヘッドフックとシングルフックを繋げる糸又は糸状の細いワイヤーの長さは、ジグヘッドフックのフックの根元からジグヘッドフックのライン取り付け部までのワームを水面に対し水平にした場合の水平方向の長さ＋ジグヘッドフック及びシングルフックを付けるワーム長−ワーム後部に取り付けるシングルフック長より若干短い長さが適当だ。
【発明の効果】
【０００６】
ワームの後方や、従来ワームにシングルフックやジグヘッドフックを装着していた場所以外に食いつく魚のフッキングを良くする。
又、大き目の餌に数箇所のシングルフックやジグヘッドフックを刺して使用する場合に、１つの餌から竿に繋がる１本のラインが出るようにして、餌が自然にアクションして魚にアピールできるようにする。
又、先行特許文献に、特願２００１−２７１２８０、特開２００３−３１０１０１、                特開２００１−２５８４２６にて、複数のフックをワームに取り付けた例が示されているが、本案の主な釣具は、シンプルなシングルフックなので、構造が簡単で製造しやすく、軽量化できるので疑似餌又は餌の動きを損ないにくい。又、ワームに糸が最初から埋め込まれていないので、任意の疑似餌又は餌に装着でき、フックポイントを餌又は疑似餌に隠すように装着して根掛防止を優先する等、任意の装着が行いやすい。
又、先行特許文献に、特開２００３−３１０１０１では、ジグヘッドに糸を連結しその糸にフックを付けた例が示されているが、本案は、フックと一体となったジグヘッドフックにシングルフックの着いた糸又は細いワイヤーを連結しているので、ジグヘッドのワーム又は餌への装着方法が違い、それによって、リトリーブ時のワーム又は餌のアクションにも違いが生じるし、本案はワーム又は餌の前部に食いついた魚も釣ることができ、これとは趣旨が違うものとなる。
【発明を実施するための最良の形態】
【０００７】
２つのワーム用のシングルフックを、シングルフックを付けるワーム長−ワーム後部に取り付けるシングルフック長より若干短い長さのフロロカーボンラインで繋いだフックを、図３の様に、後部に付けるシングルフックをワームの途中からシングルフックをワームの中にくぐらして、ワーム後側にシングルフックポイントを出して取り付け、ワーム先端に付けるシングルフックをワーム先端からワームの中をくぐらせてシングルフックの根元がワームの先端に位置するように、フックポイントをワームから出して取り付け、ダウンショットリグで、ワーム前方に付けたシングルフックとワーム後方に付けたシングルフックの双方にフッキングしたブラックバスが釣れた。
又、１つのジグヘッドフックと１つのシングルフックを、ジグヘッドフックのフックの根元からジグヘッドフックのライン取り付け部までのワームを水面に対し水平にした場合の水平方向の長さ＋ジグヘッドフック及びシングルフックを付けるワーム長−ワーム後部に取り付けるシングルフック長より若干短い長さのフロロカーボンラインで繋いだジグヘッドフックを使用し、図４のワームの部分を細切りにしたイカにした仕掛けで、その仕掛けのジグヘッドフックのライン取り付け部にラインを繋げて、そのラインにウキを付け、そのラインを竿先に付けて、竿先を揺らすことで、装着した細切りのイカが生きものの様にアクションすることを確認した。
又、その方法でブラックバスが釣れた。
【図面の簡単な説明】
【０００８】
【図１】本発明の１例
【図２】本発明のジグヘッドフックの１例
【図３】本発明のシングルフックをワームに装着した１例
【図４】本発明のジグヘッドフックをワームに装着した１例
【図５】シングルフックの例
【図６】ジグヘッドフックの例
【図７】ジグヘッドフック及びシングルフックの構成
【図８】フックを挟んで竿に繋がっていること及び、竿に直接繋がるラインの説明用の図
【図９】ワーム中央部に竿に直接繋がるラインを取り付けるフックを装着し、両サイドにその他のフックを装着した例
【符号の説明】
【０００９】
１  シングルフック
２  ジグヘッドフック
３  糸又は糸状の細いワイヤー
４  透明なワーム
５  オフセットフック
６  ガード
７  より戻し
８  コイル
９  ライン取り付け部
１０  ベント
１１  フックポイント
１２  シンカー部
１３  ガード
１４  スカート
１５  竿
１６  竿に直接繋がるライン
１７  竿に直接繋がるラインに取り付けられているフック
１８  竿に直接繋がるラインに取り付けられているフックから伸びているライン
１９  フックを挟んで竿に繋がっているライン
２０  １つ以上のフックを挟んで竿に繋がっているフックから伸びているライン
【図１】
2017123834.tif 000003
【図２】
2017123834.tif 000004
【図３】
2017123834.tif 000005
【図４】
2017123834.tif 000006
【図５】
2017123834.tif 000007
【図６】
2017123834.tif 000008
【図７】
2017123834.tif 000009
【図８】
2017123834.tif 000010
【図９】
2017123834.tif 000011
【手続補正書】
【提出日】平成28年5月23日(2016.5.23)
【手続補正１】
【補正対象書類名】図面
【補正対象項目名】図１
【補正方法】変更
【補正の内容】
【図１】
2017123834.tif 000012
【手続補正２】
【補正対象書類名】図面
【補正対象項目名】図２
【補正方法】変更
【補正の内容】
【図２】
2017123834.tif 000013